(57)【要約】【課題】防水効果を高めたデジタルカメラを提供する。【解決手段】デジタルカメラは、水から保護すべき回路基板13を具えた第１キャビネット1と、該第１キャビネット1に被さる第２キャビネット2とを突き合わせて構成される。第１キャビネット1内にて回路基板13の外側には、回路基板13に電気的に接続される可撓性基板6又は配線が挿通する弾性体である第１パッキング4が設けられている。第２キャビネット2には、第１パッキング4の凹溝40に密接して嵌まる弾性体である第２パッキング5が設けられている。【選択図】図２
2008041970.tif 000002
【特許請求の範囲】
【請求項１】
水から保護すべき回路部品を具えた第１キャビネット(１)と、該第１キャビネット(１)に被さる第２キャビネット(２)とを突き合わせて構成される電気機器に用いられる防水構造であって、
第１キャビネット(１)内にて回路部品の外側には、回路部品に電気的に接続される基板又は配線が挿通する弾性体である第１パッキング(４)が設けられ、
第２キャビネット(２)には、第１パッキング(４)に密接する弾性体である第２パッキング(５)が設けられたことを特徴とする電気機器の防水構造。
【請求項２】
第１パッキング(４)又は第２パッキング(５)の少なくとも一方には、他方のパッキングが嵌まる凹部が形成された、請求項１に記載の電気機器の防水構造。
【請求項３】
第１キャビネット(１)内にて、回路部品と第１キャビネット(１)の外壁(14)との間には、仕切り壁(７)が設けられ、第１パッキング(４)は仕切り壁(７)に嵌まる、請求項１又は２に記載の電気機器の防水構造。
【請求項４】
第１キャビネット(１)の外壁(14)と仕切り壁(７)との間には、仕切り空間(70)が形成され、外壁(14)には仕切り空間(70)に進入した水を排出する逃がし孔(15)が開設された請求項３に記載の電気機器の防水構造。
【請求項５】
第１キャビネット(１)には表示部(31)を具えた回動体(３)がヒンジ(30)接続され、第１パッキング(４)に挿通された基板又は配線は、回動体(３)と回路部品を電気的に接続する、請求項１乃至４の何れかに記載の電気機器の防水構造。
【発明の詳細な説明】
【技術分野】
【０００１】
本発明は、電気機器の防水構造に関し、具体的には防水仕様を満たすデジタルカメラの防水構造に関する。
【背景技術】
【０００２】
図５は、従来の電気機器の防水構造を示す断面図である。電気機器は、第１キャビネット(１)と第２キャビネット(２)を横並びに突き合わせて構成され、第１キャビネット(１)は下面に突部(19)を、第２キャビネット(２)は下面に突部(19)が嵌まる凹部(29)を形成している。凹部(29)内にはゴム製のパッキング(28)が配備され、該パッキング(28)は突部(19)によって凹部(29)の内壁に押される。これにより、両キャビネット(１)(２)間の接合隙間を縮小し、防水効果を持たせている。
【０００３】
【特許文献１】実用新案登録第３０８２８１１号公報
【発明の開示】
【発明が解決しようとする課題】
【０００４】
出願人は、上記のような防水構造をデジタルカメラに適用することを着想した。ところが、上記構造では、パッキング(28)が突部(19)に押されて撓み、凹部(29)とパッキング(28)との隙間から水が進入する虞れがある、即ち凹部(29)とパッキング(28)とが必ずしも緊密に接着しない。デジタルカメラにあっては、一般にあらゆる方向から電気機器に水が飛沫しても、内部の回路等が影響を受けないＪＩＳ４級仕様を満たす必要がある。近年ではかかるＪＩＳ４級仕様でも防水効果を確実に発揮できないと、仕様を満足できない虞れがある。即ち、防水効果を従来よりも高める必要がある。
本発明の目的は、防水効果を高めた電気機器を提供することにある。
【課題を解決するための手段】
【０００５】
第１キャビネット(１)内にて回路部品の外側には、回路部品に電気的に接続される基板又は配線が挿通する弾性体である第１パッキング(４)が設けられ、
第２キャビネット(２)には、第１パッキング(４)に密接する弾性体である第２パッキング(５)が設けられている。
【発明の効果】
【０００６】
第１パッキング(４)及び第２パッキング(５)はともに弾性体であるから、両パッキング(４)(５)が互いに当接すると、弾性変形により両パッキング(４)(５)は密接する。これにより、防水効果は従来に比して更に高まり、回路部品に電気的に接続される基板又は配線に水が飛来することを効果的に防止することができる。
【発明を実施するための最良の形態】
【０００７】
以下、本発明の一実施例を図を用いて詳述する。
図１(a)は、電気機器、具体的にはデジタルカメラを左側から見た斜視図であり、図１(b)は、該デジタルカメラを右側から見た分解斜視図である。デジタルカメラは、第１キャビネット(１)と第２キャビネット(２)を横並びにして互いに突き合わせて構成される。
被写体画像を捉えるレンズ(10)は第１キャビネット(１)に設けられ、該第１キャビネット(１)上にシャッタ釦(11)、操作釦(12)が周知の如く配備されている。第１キャビネット(１)上には、液晶パネルである表示部(31)を具えた回動体(３)がヒンジ(30)接続されている。回動体(３)は第１キャビネット(１)に対して折り畳まれた状態から９０度回動した状態まで開き、シャッタ釦(11)を押す使用者には、レンズ(10)から入射して表示部(31)に表示された画像が見える。第１キャビネット(１)の下端部には当て部材(８)が設けられ、該当て部材(８)は回動体(３)が９０度以上開くことを規制する。当て部材(８)の側面には透孔(80)が開設され、該透孔(80)を開設した理由については後記する。
【０００８】
図１(b)に示すように、第１キャビネット(１)内には鏡筒(16)及び回路基板(13)が設けられ、回路基板(13)と前記の表示部(31)はフレキシブルＰＣＢと呼ばれる可撓性基板(６)にて電気的に接続される。鏡筒(12)からの撮像信号は回路基板(13)にて画像処理されて、可撓性基板(６)を介して表示部(31)に送られる。尚、可撓性基板(６)に代えて、配線(図示せず)にて回路基板(13)と表示部(31)を接続してもよい。
可撓性基板(６)は弾性体、具体的にはゴム製の第１パッキング(４)に挿通される。第１キャビネット(１)内にて、回路基板(13)と第１キャビネット(１)の外壁(14)との間には、仕切り壁(７)が設けられ、第１パッキング(４)は仕切り壁(７)の端縁に嵌まる。第１キャビネット(１)の外壁(14)と仕切り壁(７)とにより、仕切り空間(70)が形成される。第２パッキング(５)の裏面周縁部には、ゴム紐状の第２パッキング(５)が環状に繋がって設けられている。第１キャビネット(１)の外壁(14)には、仕切り空間(70)に通じる逃がし孔(15)(15)が開設され、仕切り空間(70)に進入した水は、逃がし孔(15)(15)から排出される。
【０００９】
図２は、仕切り壁(７)、第１パッキング(４)、第２パッキング(５)の分解斜視図である。
第１パッキング(４)は断面Ｈ字形であって、下面に第１凹溝(40)を、上面に第２凹溝(41)を夫々開設している。第１凹溝(40)の下面と第２凹溝(41)の下面との間隔、即ち第１パッキング(４)の中央部の肉厚をＨ１とする。
可撓性基板(６)はインサート成形等によって第１パッキング(４)内に挿通される。仕切り壁(７)の端縁にて、第１パッキング(４)が装着される箇所には、凹み(71)が設けられている。凹み(71)の深さＨ２と、第１パッキング(４)の中央部の肉厚Ｈ１は略等しく設けられ、第１パッキング(４)の第１凹溝(40)が仕切り壁(７)の凹み(71)に嵌まった状態で、第２凹溝(41)の下面は、仕切り壁(７)の上縁と略同一面内に位置する。
【００１０】
この状態で、第１キャビネット(１)に第２キャビネット(２)を被せ、第２凹溝(41)に第２パッキング(５)を圧入気味に嵌める。図３(a)は、第１パッキング(４)に第２パッキング(５)を嵌めた状態を図２のＡ方向から見た正面図、(b)は、(a)の平面図である。
第１パッキング(４)及び第２パッキング(５)はともに弾性体であるから、第２パッキング(５)が第２凹溝(41)に圧入されると、弾性変形により両パッキング(４)(５)は密接する。特に、第２凹溝(41)の側壁にて第２パッキング(５)を挟み込むから、防水効果は従来に比して更に高まり、回路基板(13)に水が飛来することを効果的に防止することができる。
また、第２パッキング(５)は仕切り壁(７)の上縁に接し、第２パッキング(５)と仕切り壁(７)の隙間から水が進入することも防いでいる。
【００１１】
第１キャビネット(１)の外壁(14)の内側に、仕切り壁(７)を設け、該仕切り壁(７)に第１パッキング(４)を取り付けた理由を説明する。図３(b)に示す状態に於いて、仮に仕切り壁(７)が第１キャビネット(１)から露出していると、凹み(71)の側縁と第１パッキング(４)の間(図３(b)のＤ)から水が進入する虞れがある。特にシャワーのように両キャビネット(１)(２)に水を掛ける防水試験では、水圧が浸水に大きな影響を与える。
そのために、第１キャビネット(１)の外壁(14)の内側に、仕切り壁(７)を設け、水圧が直接仕切り壁(７)及び第１、第２パッキング(４)(５)に加わらないようにしている。尚、水圧の影響にて、仕切り空間(70)に水が進入すると、該水は逃がし孔(15)(15)から当て部材(８)の透孔(80)を通って、排出される。
【００１２】
尚、上記例では、第１パッキング(４)の第２凹溝(41)に第２パッキング(５)を嵌めているが、第２凹溝(41)を設けずに、これに代えて、図４(a)、(b)に示すように、第１パッキング(４)上面に当て壁(42)を設け、該当て壁(42)に第２パッキング(５)を密接させてもよい。
また、第２パッキング(５)に凹部を形成して、これに第１パッキング(４)を嵌めてもよい。
更に、上記の防水構造は、デジタルカメラに限定されず、他の電気機器にも応用可能である。
【００１３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００１４】
【図１】(a)は、デジタルカメラを左側から見た斜視図であり、(b)は、該デジタルカメラを右側から見た分解斜視図である。
【図２】仕切り壁、第１パッキング、第２パッキングの分解斜視図である。
【図３】(a)は、第１パッキングに第２パッキングを嵌めた状態を図２のＡ方向から見た正面図、(b)は、(a)の平面図である。
【図４】(a)は、別の実施例の第１パッキングと第２パッキングの正面図、(b)は、(a)の平面図である。
【図５】従来の電気機器の防水構造を示す断面図である。
【符号の説明】
【００１５】
(１)  第１キャビネット
(２)  第２キャビネット
(３)  回動体
(４)  第１パッキング
(５)  第２パッキング
(７)  仕切り壁
(15)  逃がし孔
(31)  表示部
(70)  仕切り空間
【図１】
2008041970.tif 000003
【図２】
2008041970.tif 000004
【図３】
2008041970.tif 000005
【図４】
2008041970.tif 000006
【図５】
2008041970.tif 000007